(57)【特許請求の範囲】
【請求項１】
非ルート無線通信デバイス内のサウンディング基準信号（ＳＲＳ）を増強するための方法であって、
前記非ルート無線通信デバイスのための全てのＳＲＳの送信が、遷移サブフレームのアップリンク・パイロットタイムスロット（ＵｐＰＴＳ）部分に起きるであろうと決定することと、
前記ＵｐＰＴＳ部分のための使用可能なアップリンク帯域幅がノーマルアップリンクサブフレームに対して使用可能なアップリンク帯域幅よりも大きいかどうかを決定することと、
前記ＵｐＰＴＳ部分のための前記使用可能なアップリンク帯域幅が、前記ノーマルアップリンクサブフレームのための使用可能なアップリンク帯域幅よりも大きい時、前記ＵｐＰＴＳ部分のための前記使用可能なアップリンク帯域幅を用いて現在のＳＲＳを送信することと、
を備える、方法。
【請求項２】
前記ＵｐＰＴＳ部分のための前記使用可能なアップリンク帯域幅が、前記ノーマルアップリンクサブフレームのための使用可能なアップリンク帯域幅よりも大きくない時、前記ノーマルアップリンクサブフレームのための前記使用可能なアップリンク帯域幅を用いて、前記現在のＳＲＳを送信することをさらに備える請求項１の方法。
【請求項３】
全てのＳＲＳの送信が前記ＵｐＰＴＳ部分に起きるであろうと決定することは、基地局から指示を受信することを備える、請求項１の方法。
【請求項４】
ノーマルアップリンクサブフレームのための前記使用可能なアップリンク帯域幅を受信することをさらに備える、請求項１の方法。
【請求項５】
ノーマルアップリンクサブフレームのための前記使用可能なアップリンク帯域幅は多地点協調（ＣоＭＰ）セット内の複数のセルを占める請求項４の方法。
【請求項６】
遷移サブフレームの前記ＵｐＰＴＳ部分のための前記使用可能なアップリンク帯域幅を受信することをさらに備える請求項１の方法。
【請求項７】
前記ＵｐＰＴＳ部分のための前記使用可能なアップリンク帯域幅は、多地点協調（ＣоＭＰ）セット内の複数のセルを占める、請求項６の方法。
【請求項８】
サービングセルのためのＰＲＡＣＨフォーマット４データに割り当てられたリソースブロックの数の物理ランダムアクセスチャネル（ＰＲＡＣＨ）インジケータを受信することをさらに備え、前記ＰＲＡＣＨインジケータはまた、前記ＣоＭＰセット内の少なくとも１つの非サービングセルのためのＰＲＡＣＨフォーマット４データに割り当てられたリソースブロックの数を示し、前記インジケータは前記サービングセルから受信される、請求項７の方法。
【請求項９】
サービングセルから前記ＣоＭＰセット内の全てのセルのインジケータを受信することと、
前記ＣоＭＰセット内の各セルのためのＰＲＡＣＨフォーマット４データに割り当てられたリソースブロックの数の別々のＰＲＡＣＨインジケータを受信することと、前記ＰＲＡＣＨインジケータは、前記ＣоＭＰセット内の各セルから受信される、
をさらに備える、請求項７の方法。
【請求項１０】
前記ＣоＭＰセット内のサービングセルと少なくとも一つの非サービングセルのためのＰＲＡＣＨフォーマット４データに割り当てられたリソースブロックの数の明示の物理ランダムアクセスチャネル（ＰＲＡＣＨ）インジケータを受信することをさらに備え、前記インジケータは、前記サービングセルから受信される、請求項７の方法。
【請求項１１】
前記送信することは、前記非ルート無線通信デバイスに、前記ＵｐＰＴＳ部分のための前記使用可能なアップリンク帯域幅内で、ルート無線通信デバイスに割り当て可能な最大数のリソースブロックを割り当てることを備える請求項１の方法。
【請求項１２】
非周期性ＳＲＳがトリガされるべきことを示す予約ビットを含むランダムアクセス応答（ＲＡＲ）の許可を受信することをさらに備える請求項１の方法。
【請求項１３】
前記無線通信デバイスのための全てのＳＲＳの送信が前記ＵｐＰＴＳ部分で起きるであろうと前記決定することは、基地局によってサービスされる全ての無線通信デバイスのための全てのＳＲＳの送信が、前記ＵｐＰＴＳ部分に起きるであろうと決定することを備える、請求項１の方法。
【請求項１４】
非ルート無線通信デバイス内のサウンディング基準信号（ＳＲＳ）を増強するための装置であって、
プロセッサと、
前記プロセッサと電子通信するメモリと、
前記メモリに記憶された複数の命令と、を備え、
前記複数の命令は、前記プロセッサにより、
前記非ルート無線通信デバイスのための全てのＳＲＳの送信が、遷移サブフレームのアップリンク・パイロットタイムスロット（ＵｐＰＴＳ）部分に起きるであろうと決定することと、
前記ＵｐＰＴＳ部分のための使用可能なアップリンク帯域幅がノーマルアップリンクサブフレームのための使用可能なアップリンク帯域幅よりも大きいかどうかを決定することと、
前記ＵｐＰＴＳ部分のための前記使用可能なアップリンク帯域幅が、前記ノーマルアップリンクサブフレームのための使用可能なアップリンク帯域幅よりも大きい時、前記ＵｐＰＴＳ部分のための前記使用可能なアップリンク帯域幅を用いて現在のＳＲＳを送信すること、
を実行可能である、装置。
【請求項１５】
前記ＵｐＰＴＳ部分のための前記使用可能なアップリンク帯域幅が、前記ノーマルアップリンクサブフレームのための使用可能なアップリンク帯域幅よりも大きくない時、前記ノーマルアップリンクサブフレームのための前記使用可能なアップリンク帯域幅を用いて、前記現在のＳＲＳを送信することを実行可能である命令をさらに備える、請求項１４の装置。
【請求項１６】
全てのＳＲＳの送信が前記ＵｐＰＴＳ部分に起きるであろうと決定することを実行可能な前記命令は、基地局からの指示を受信することを実行可能な命令を備える、請求項１４の装置。
【請求項１７】
ノーマルアップリンクサブフレームのための前記使用可能なアップリンク帯域幅を受信することを実行可能な命令をさらに備える、請求項１４の装置。
【請求項１８】
ノーマルアップリンクサブフレームのための前記使用可能なアップリンク帯域幅は多地点協調（ＣоＭＰ）セット内の複数のセルを占める請求項１７の装置。
【請求項１９】
遷移サブフレームの前記ＵｐＰＴＳ部分のための前記使用可能なアップリンク帯域幅の受信することを実行可能な命令をさらに備える、請求項１４の装置。
【請求項２０】
前記ＵｐＰＴＳ部分のための前記使用可能なアップリンク帯域幅が、多地点協調（ＣоＭＰ）セット内の複数のセルを占める、請求項１９の装置。
【請求項２１】
サービングセルのためのＰＲＡＣＨフォーマット４データに割り当てられたリソースブロックの数の物理ランダムアクセスチャネル（ＰＲＡＣＨ）インジケータの受信することを実行可能な命令をさらに備え、前記ＰＲＡＣＨインジケータはまた、前記ＣоＭＰセット内の少なくとも１つの非サービングセルのためのＰＲＡＣＨフォーマット４データに割り当てられたリソースブロックの数を示し、前記インジケータは前記サービングセルから受信される、請求項２０の装置。
【請求項２２】
サービングセルから前記ＣоＭＰセット内の全てのセルのインジケータを受信することと、
前記ＣоＭＰセット内の各セルのためのＰＲＡＣＨフォーマット４データに割り当てられたリソースブロックの数の別々のＰＲＡＣＨインジケータを受信することと、
を実行可能である命令をさらに備え、
前記ＰＲＡＣＨインジケータは、前記ＣоＭＰセット内の各セルから受信される、請求項２０の装置。
【請求項２３】
前記ＣоＭＰセット内のサービングセルと少なくとも一つの非サービングセルのためのＰＲＡＣＨフォーマット４データに割り当てられたリソースブロックの数の明示の物理ランダムアクセスチャネル（ＰＲＡＣＨ）インジケータを受信することを実行可能な命令をさらに備え、
前記インジケータは、前記サービングセルから受信される、請求項２０の装置。
【請求項２４】
送信することを実行可能な前記命令は、前記非ルート無線通信デバイスに前記ＵｐＰＴＳ部分のための前記使用可能なアップリンク帯域幅内で、ルート無線通信デバイスに割り当て可能な最大数のリソースブロックを割り当てることを実行可能な命令を備える請求項１４の装置。
【請求項２５】
非周期性ＳＲＳがトリガされるべきことを示す予約ビットを含むランダムアクセス応答（ＲＡＲ）の許可を受信することを実行可能な命令をさらに備える請求項１４の装置。
【請求項２６】
前記無線通信デバイスのための全てのＳＲＳの送信が前記ＵｐＰＴＳ部分で起きるであろうと決定することを実行可能な前記命令は、基地局によってサービスされる全ての無線通信デバイスのための全てのＳＲＳの送信が、前記ＵｐＰＴＳ部分に起きるであろうと決定することを実行可能な命令を備える、請求項１４の装置。
【請求項２７】
非ルート無線通信デバイス内のサウンディング基準信号（ＳＲＳ）を増強するための装置であって、
前記非ルート無線通信デバイスのための全てのＳＲＳの送信が、遷移サブフレームのアップリンク・パイロットタイムスロット（ＵｐＰＴＳ）部分に起きるであろうと決定するための手段と、
前記ＵｐＰＴＳ部分のための使用可能なアップリンク帯域幅がノーマルアップリンクサブフレームに対して使用可能なアップリンク帯域幅よりも大きいかどうかを決定するための手段と、
前記ＵｐＰＴＳ部分のための前記使用可能なアップリンク帯域幅が、前記ノーマルアップリンクサブフレームのための使用可能なアップリンク帯域幅よりも大きい時、前記ＵｐＰＴＳ部分のいための前記使用可能なアップリンク帯域幅を用いて現在のＳＲＳを送信するための手段と、
を備える、装置。
【請求項２８】
前記ＵｐＰＴＳ部分のための前記使用可能なアップリンク帯域幅が、前記ノーマルアップリンクサブフレームのための使用可能なアップリンク帯域幅よりも大きくない時、前記ノーマルアップリンクサブフレームのための前記使用可能なアップリンク帯域幅を用いて、前記現在のＳＲＳを送信するための手段をさらに備える、請求項２７の装置。
【請求項２９】
全てのＳＲＳの送信が前記ＵｐＰＴＳ部分に起きるであろうと決定するための手段は、基地局から指示を受信するための手段を備える、請求項２７の装置。
【請求項３０】
ノーマルアップリンクサブフレームのための前記使用可能なアップリンク帯域幅の受信するための手段をさらに備える、請求項２７の装置。
【請求項３１】
ノーマルアップリンクサブフレームのための前記使用可能なアップリンク帯域幅は多地点協調（ＣоＭＰ）セット内の複数のセルを占める請求項２８の装置。
【請求項３２】
遷移サブフレームの前記ＵｐＰＴＳ部分のための前記使用可能なアップリンク帯域幅を受信するための手段をさらに備える、請求項２７の装置。
【請求項３３】
前記ＵｐＰＴＳ部分のための前記使用可能なアップリンク帯域幅は、多地点協調（ＣоＭＰ）セット内の複数のセルを占める、請求項３２の装置。
【請求項３４】
サービングセルのためのＰＲＡＣＨフォーマット４データに割り当てられたリソースブロックの数の物理ランダムアクセスチャネル（ＰＲＡＣＨ）インジケータを受信するための手段をさらに備え、前記ＰＲＡＣＨインジケータはまた、前記ＣоＭＰセット内の少なくとも１つの非サービングセルのためのＰＲＡＣＨフォーマット４データに割り当てられたリソースブロックの数を示し、前記インジケータは前記サービングセルから受信される、請求項３３の装置。
【請求項３５】
サービングセルから前記ＣоＭＰセット内の全てのセルのインジケータを受信するための手段と、
前記ＣоＭＰセット内の各セルのためのＰＲＡＣＨフォーマット４データに割り当てられたリソースブロックの数の別々のＰＲＡＣＨインジケータを受信するための手段と、前記ＰＲＡＣＨインジケータは、前記ＣоＭＰセット内の各セルから受信される、
をさらに備える請求項３３の装置。
【請求項３６】
前記ＣоＭＰセット内のサービングセルと少なくとも一つの非サービングセルのためのＰＲＡＣＨフォーマット４データに割り当てられたリソースブロックの数の明示の物理ランダムアクセスチャネル（ＰＲＡＣＨ）インジケータを受信するための手段をさらに備え、
前記インジケータは、前記サービングセルから受信される、請求項３３の装置。
【請求項３７】
送信するための手段は、前記非ルート無線通信デバイスに前記ＵｐＰＴＳ部分のための前記使用可能なアップリンク帯域幅内で、ルート無線通信デバイスに割り当て可能な最大数のリソースブロックを割り当てるための手段を備える請求項２７の装置。
【請求項３８】
非周期性ＳＲＳがトリガされるべきことを示す予約ビットを含むランダムアクセス応答（ＲＡＲ）の許可を受信するための手段さらに備える請求項２７の装置。
【請求項３９】
前記無線通信デバイスのための全てのＳＲＳの送信が前記ＵｐＰＴＳ部分で起きるであろうと決定するための手段は、基地局によってサービスされる全ての無線通信デバイスのための全てのＳＲＳの送信が、前記ＵｐＰＴＳ部分に起きるであろうと決定するための手段を備える、請求項２７の装置。
【請求項４０】
複数の命令を有し、非ルート無線通信デバイス内のサウンディング基準信号（ＳＲＳ）を増強するためのコンピュータ・プログラムであって、前記命令は、
前記非ルート無線通信デバイスに、前記無線通信デバイスのための全てのＳＲＳの送信が、遷移サブフレームのアップリンク・パイロットタイムスロット（ＵｐＰＴＳ）部分に起きるであろうと決定させるためのコードと、
前記無線通信デバイスに、前記ＵｐＰＴＳ部分のための使用可能なアップリンク帯域幅がノーマルアップリンクサブフレームのための使用可能なアップリンク帯域幅よりも大きいかどうかを決定させるためのコードと、
前記無線通信デバイスに、前記ＵｐＰＴＳ部分のための前記使用可能なアップリンク帯域幅が、前記ノーマルアップリンクサブフレームに対して使用可能なアップリンク帯域幅よりも大きい時、前記ＵｐＰＴＳ部分のための前記使用可能なアップリンク帯域幅を用いて現在のＳＲＳを送信させるためのコードと、
を備える、コンピュータ・プログラム。
【請求項４１】
前記ＵｐＰＴＳ部分ための前記使用可能なアップリンク帯域幅が、前記ノーマルアップリンクサブフレームのための使用可能なアップリンク帯域幅よりも大きくない時、前記無線通信デバイスに、前記ノーマルアップリンクサブフレームのための前記使用可能なアップリンク帯域幅を用いて、前記現在のＳＲＳを送信させるためのコードをさらに備える、請求項４０のコンピュータ・プログラム。
【請求項４２】
前記無線通信デバイスに、全てのＳＲＳの送信が前記ＵｐＰＴＳ部分に起きるであろうと決定させるためのコードは、前記無線通信デバイスに、基地局からの指示を受信させるためのコードを備える、請求項４０のコンピュータ・プログラム。
【請求項４３】
前記無線通信デバイスに、ノーマルアップリンクサブフレームのための前記使用可能なアップリンク帯域幅を受信させるためのコードをさらに備える、請求項４０のコンピュータ・プログラム。
【請求項４４】
ノーマルアップリンクサブフレームのための前記使用可能なアップリンク帯域幅は多地点協調（ＣоＭＰ）セット内の複数のセルを占める請求項４３のコンピュータ・プログラム。
【請求項４５】
前記無線通信デバイスに、遷移サブフレームの前記ＵｐＰＴＳ部分のための前記使用可能なアップリンク帯域幅を受信させるためのコードをさらに備える、請求項４０のコンピュータ・プログラム。
【請求項４６】
前記ＵｐＰＴＳ部分のための前記使用可能なアップリンク帯域幅が、多地点協調（ＣоＭＰ）セット内の複数のセルを占める、請求項４５のコンピュータ・プログラム。
【請求項４７】
前記無線通信デバイスに、サービングセルのためのＰＲＡＣＨフォーマット４データに割り当てられたリソースブロックの数の物理ランダムアクセスチャネル（ＰＲＡＣＨ）インジケータを受信させるためのコードをさらに備え、前記ＰＲＡＣＨインジケータはまた、前記ＣоＭＰセット内の少なくとも１つの非サービングセルのためのＰＲＡＣＨフォーマット４データに割り当てられたリソースブロックの数を示し、前記インジケータは前記サービングセルから受信される、請求項４６のコンピュータ・プログラム。
【請求項４８】
前記無線通信デバイスに、サービングセルから前記ＣоＭＰセット内の全てのセルのインジケータを受信させるためのコードと、
前記無線通信デバイスに、前記ＣоＭＰセット内の各セルに対するＰＲＡＣＨフォーマット４データに割り当てられたリソースブロックの数の別々のＰＲＡＣＨインジケータを受信させるためのコードと、
をさらに備え、
前記ＰＲＡＣＨインジケータは、前記ＣоＭＰセット内の各セルから受信される、請求項４６のコンピュータ・プログラム。
【請求項４９】
前記無線通信デバイスに、前記ＣоＭＰセット内のサービングセルと少なくとも一つの非サービングセルのためのＰＲＡＣＨフォーマット４データに割り当てられたリソースブロックの数の明示の物理ランダムアクセスチャネル（ＰＲＡＣＨ）インジケータを受信させるためのコードをさらに備え、
前記インジケータは、前記サービングセルから受信される、請求項４６のコンピュータ・プログラム。
【請求項５０】
前記無線通信デバイスに送信させるための前記コードは、前記無線通信デバイスに、前記ＵｐＰＴＳ部分のための前記使用可能なアップリンク帯域幅内で、ルート無線通信デバイスに割り当て可能な最大数のリソースブロックを前記非ルート無線通信デバイスに割り当てさせるためのコードを備える請求項４０のコンピュータ・プログラム。
【請求項５１】
前記無線通信デバイスに、非周期性ＳＲＳがトリガされるべきことを示す予約ビットを含むランダムアクセス応答（ＲＡＲ）の許可を受信させるためのコードをさらに備える請求項４０のコンピュータ・プログラム。
【請求項５２】
前記無線通信デバイスに、前記無線通信デバイスのための全てのＳＲＳの送信が前記ＵｐＰＴＳ部分で起きるであろうと決定させるための前記コードは、前記無線通信に、基地局によってサービスされる全ての無線通信デバイスのための全てのＳＲＳの送信が、前記ＵｐＰＴＳ部分に起きるであろうと決定させるためのコードを備える、請求項４０のコンピュータ・プログラム。
【発明の詳細な説明】
【関連出願】
【０００１】
本出願は、「サウンディング基準信号（ＳＲＳ）の増強（enhancing）」に対して２０１１年７月１３日に出願された米国仮特許出願シリアル番号６１／５０７，４８７からの優先権に関し、またその優先権を主張するものであって、ここでその全体が組み込まれる。
【技術分野】
【０００２】
本開示は一般的に、通信システムのための電子デバイスに関する。さらに具体的には、本開示はサウンディング基準信号の増強（enhancing）に関する。
【背景技術】
【０００３】
[0003]電子デバイス（セルラー電話、無線モデム、コンピュータ、デジタル音楽プレーヤ、全地球測位システムユニット、パーソナル・デジタル・アシスタント、ゲームデバイス、等）は毎日の生活の一部となっている。小型のコンピューティングデバイスは、今では自動車から家の鍵まで全てに設置されている。電子デバイスの複雑さは、ここ数年で劇的に増加している。例えば、多くの電子デバイスは、プロセッサとデバイスのその他の一部を支援するための多くのデジタル回路だけでなく、そのデバイスの制御を支援する１つ又は複数プロセッサを有する。
【０００４】
[0004]無線通信システムは広く発展し、音声、映像、データ等のような様々な種類の通信コンテンツを提供している。これらのシステムは１つ又は複数の基地局を有する複数の無線通信デバイスの同時通信を支援可能な複数のアクセスシステムであっても良い。
【０００５】
[0005]デバイスがそれで送信する物理チャネルの特徴を決定することは有利であり得る。従って、チャネルを推定するために使われるサウンディング基準信号（ＳＲＳ）を増強するためのシステム及び方法によって有利な点が実現され得る。
【発明の概要】
【０００６】
[0006]非ルート無線通信デバイス内のサウンディング基準信号（ＳＲＳ）を増強するための方法が開示されている。この方法は、無線通信デバイスのための全てのＳＲＳの送信が遷移サブフレームのアップリンク・パイロットタイムスロット（ＵｐＰＴＳ）部分に起きるであろうと決定する。この方法はまた、ＵｐＰＴＳ部分のための使用可能なアップリンク帯域幅が、ノーマルアップリンクサブフレームに対して使用可能なアップリンク帯域幅よりも大きいかどうかを決定する。現在のＳＲＳは、ＵｐＰＴＳ部分のための使用可能なアップリンク帯域幅がノーマルアップリンクサブフレームのための使用可能なアップリンク帯域幅より大きい時に、ＵｐＰＴＳ部分のための使用可能なアップリンク帯域幅を用いて送信される。
【０００７】
[0007]現在のＳＲＳは、ＵｐＰＴＳ部分のために使用可能なアップリンク帯域幅が、ノーマルアップリンクサブフレームのための使用可能なアップリンク帯域幅よりも大きい時、ノーマルアップリンクサブフレームのための使用可能なアップリンク帯域幅を用いて送信され得る。全てのＳＲＳの送信がＵｐＰＴＳ部分に起きるであろうと決定することは、基地局からの指示を受信することを含み得る。ノーマルアップリンクサブフレームのための使用可能なアップリンク帯域幅が受信され得る。ノーマルアップリンクサブフレームのための使用可能なアップリンク帯域幅は、多地点協調（ＣоＭＰ：coordinated multi-point）セット内の複数のセルを占有し得る。
【０００８】
[0008]遷移サブフレームのＵｐＰＴＳ部分のための使用可能なアップリンク帯域幅が受信され得る。ＵｐＰＴＳ部分のための使用可能なアップリンク帯域幅は、多地点協調（ＣоＭＰ）セット内の複数のセルを占有し得る。１つの構成において、サービングセルのためのＰＲＡＣＨフォーマット４データに割り当てられたリソースブロックの数を示す物理ランダムアクセスチャネル（ＰＲＡＣＨ）インジケータが受信され得る。ＰＲＡＣＨインジケータはまた、ＣоＭＰセット内の少なくとも１つの非サービングセルのためのＰＲＡＣＨフォーマット４データに割り当てられたリソースブロックの数を示し得る。インジケータは、サービングセルから受信され得る。
【０００９】
[0009]別の構成において、ＣоＭＰのセット内の全てのセルのインジケータは、サービングセルから受信され得る。ＰＲＡＣＨフォーマット４データに割り当てられたリソースブロックの数の別々のＰＲＡＣＨインジケータはＣоＭＰのセット内の各セルのために受信され得る。ＰＲＡＣＨインジケータはＣоＭＰのセット内の各セルから受信され得る。
【００１０】
[0010]別の構成において、ＣоＭＰのセット内のサービングセルと少なくとも１つの非サービングセルのためのＰＲＡＣＨフォーマット４データに割り当てられたリソースブロックの数を示す明示的な物理ランダムアクセスチャネル（ＰＲＡＣＨ）インジケータが受信され得る。インジケータは、サービングセルから受信され得る。
【００１１】
[0011]送信することは、ＵｐＰＴＳ部分に対して使用可能なアップリンク帯域幅の端部で動作する無線通信デバイスに、ＵｐＰＴＳ部分のための使用可能な追加の帯域幅を割り当てることを含み得る。さらに、非周期性ＳＲＳがトリガされるべきことを示す予約ビットを含むランダムアクセス応答（ＲＡＲ）許可が受信され得る。無線通信デバイスのための全てのＳＲＳの送信がＵｐＰＴＳ部分で起きるであろうと決定することは、基地局によってサービスされる全ての無線通信デバイスのための全てのＳＲＳの送信が、ＵｐＰＴＳ部分で起きるであろうと決定することを含み得る。
【００１２】
[0012]非ルート無線通信デバイス内のサウンディング基準信号（ＳＲＳ）を増強するための装置が同様に開示されている。この装置は、プロセッサと、当該プロセッサと電子通信するメモリとを含む。実行可能な命令はメモリに記憶される。この命令は、無線通信デバイスのための全てのＳＲＳの送信が遷移サブフレームのアップリンク・パイロットタイムスロット（ＵｐＰＴＳ）部分に起きるであろうと決定するように実行可能である。この命令はまた、ＵｐＰＴＳ部分のための使用可能なアップリンク帯域幅がノーマルアップリンクサブフレームに対して使用可能なアップリンク帯域幅よりも大きいかどうかを決定するように実行可能である。この命令はまた、ＵｐＰＴＳ部分のための使用可能なアップリンク帯域幅がノーマルアップリンクサブフレームのための使用可能なアップリンク帯域幅よりも大きい場合、ＵｐＰＴＳ部分のための使用可能なアップリンク帯域幅を用いて現在のＳＲＳを送信するように実行可能である。
【００１３】
[0013]非ルート無線通信デバイス内のサウンディング基準信号（ＳＲＳ）を増強するための装置が同様に開示されている。この装置は、無線通信デバイスのための全てのＳＲＳの送信が、遷移サブフレームのアップリンク・パイロットタイムスロット（ＵｐＰＴＳ）部分に起きるであろうと決定する手段を含む。この装置はまた、ＵｐＰＴＳ部分に対して使用可能なアップリンク帯域幅が、ノーマルアップリンクサブフレームに対して使用可能なアップリンク帯域幅よりも大きいかどうかを決定する手段を含む。この装置はまた、ＵｐＰＴＳ部分のための使用可能なアップリンク帯域幅が、ノーマルアップリンクサブフレームのための使用可能なアップリンク帯域幅よりも大きい場合に、ＵｐＰＴＳ部分のための使用可能なアップリンク帯域幅を用いて現在のＳＲＳを送信する手段を含む。
【００１４】
[0014]非ルート無線通信デバイス内のサウンディング基準信号（ＳＲＳ）増強するためのコンピュータ・プログラム・プロダクトが同様に開示されている。このコンピュータ・プログラム・プロダクトは、その上に命令を有する非一時的コンピュータ可読媒体を備える。この命令は、無線通信デバイスに、無線通信デバイスのための全てのＳＲＳの送信が、遷移サブフレームのアップリンク・パイロットタイムスロット（ＵｐＰＴＳ）部分に起こることになると決定させるコードを含む。この命令はまた、無線通信デバイスに、ＵｐＰＴＳ部分のための使用可能なアップリンク帯域幅が、ノーマルなアップリンクサブフレームのための使用可能なアップリンク帯域幅よりも大きいかどうかを決定させるコードを含む。この命令はまた、ＵｐＰＴＳ部分のための使用可能なアップリンク帯域幅が、ノーマルアップリンクサブフレームに対して使用可能なアップリンク帯域幅よりも大きい場合、無線通信デバイスに、ＵｐＰＴＳ部分のための使用可能なアップリンク帯域幅を用いて、現在のＳＲＳを送信させるコードを含む。
【図面の簡単な説明】
【００１５】
【図１】図１は、サウンディング基準信号（ＳＲＳ）を増強する無線通信システムを示すブロック図である。
【図２】図２は、無線フレーム内の特殊な遷移サブフレームを示すブロック図である。
【図３】図３はアップリンク・パイロットタイムスロット（ＵｐＰＴＳ）と通常のアップリンク・サブフレーム内の相対的なサウンディング基準信号（ＳＲＳ）の割り当てを示すブロック図である。
【図４】図４は、アップリンク・パイロットタイムスロット（ＵｐＰＴＳ）と通常のアップリンク（ＵＬ）サブフレーム内の使用可能なサウンディング基準信号（ＳＲＳ）帯域幅を示す別のブロック図である。
【図５】図５は、サウンディング基準信号（ＳＲＳ）を増強するための方法を示すフロー図である。
【図６】図６は、サウンディング基準信号（ＳＲＳ）帯域幅に依存するアップリンクサブフレームを示すブロック図である。
【図７】図７は、ＳＲＳ帯域幅のオプティマイザを示すブロック図である。
【図８】図８は、無線デバイス内に含まれ得る特定のコンポーネントを示す。
【発明を実施するための形態】
【００１６】
[0023]無線通信システムにおいて、物理アップリンクチャネルを予測し、効率を高めることができる。例えば、ロング・ターム・エボリューション・アドバンスド（ＬＴＥ−Ａ）は、ユーザ機器（ＵＥ）から発展型ノードＢ（ｅノードＢ）に送られるサウンディング基準信号（ＳＲＳ）を用いて、アップリンクチャネルを予測する。ＳＲＳは、ＳＲＳを示すためにチャネルリソースが割り当てられれば割り当てられるほど、より正確になり得る。従って、本システム及び方法は、環境が許せば、より多くのリソースブロックを割り当てることによってＳＲＳを増強することができる。特に、ＵＥからのＳＲＳ送信帯域幅はアップリンク・パイロットタイムスロット（ＵｐＰＴＳ）の間中、最大化されることができる。
【００１７】
[0024]図１は、サウンディング基準信号（ＳＲＳ）１０８ａ―ｄを増強する無線通信システム１００を示すブロック図である。システムはｅノードＢ１１０とｅノードＢ１１０と通信する１つ又は複数のユーザ機器（ＵＥ）１０２ａ―ｃを含むことができる。単一のｅノードＢ１１０とＮ  ＵＥ１０２ａ―ｃとが例示されているが、システムは任意の適切な数のｅノードＢｓ１１０とＵＥ１０２ａ―ｃを含むことができる。
【００１８】
[0025]１つの構成において、無線通信システム１００はＬＴＥ―Ａを用いて実施されることができる。ＬＴＥ―Ａに関して説明及び例示されるが、本システムおよび方法は任意の適切な無線通信システムと共に使用されても良い。従って、ＵＥ１０２ａ―ｃは無線音声通信、データ通信、又はその両方に対して使われることができる任意の電子デバイスであり得る。ＵＥ１０２ａ―ｃは代わりに無線通信デバイス、アクセス端末、モバイル端末、モバイル局、遠隔ステーション、ユーザ端末、端末、加入者ユニット、加入者局、モバイルデバイス、無線デバイス、又はその他類似のターミノロジー(terminology)と呼ばれることができる。ＵＥ１０２ａ―ｃの具体例はセルラー電話、パーソナル・デジタル・アシスタント（ＰＤＡ）、ハンドヘルドデバイス、無線モデム、ラップトップコンピュータ、パーソナルコンピュータ等を含む。ｅノードＢ１１０は、決まった場所に設置され、かつ無線通信デバイスと通信するために使われる無線通信局である。ｅノードＢ１１０は、代わりに基地局、アクセスポイント、ノードＢ又はその他の類似のターミノロジーと呼ばれることができる。
【００１９】
[0026]ＬＴＥ―Ａにおいて、サウンディング基準信号（ＳＲＳ）１０８ａ―ｄはアップリンクチャネルを推定するために使われる。例えば、第１ＵＥ１０２ａはｅノードＢ１１０と第１ＵＥ１０２ａとの間のアップリンクチャネルを推定するために第１ＳＲＳ１０８ａを送信し得る。同様に、第２ＵＥ１０２ｂは第２ＳＲＳ１０８ｂを、そして第ＮＵＥ１０２ｃは第ＮＳＲＳ１０８ｃを、それぞれｅノードＢ１１０と第２およびＮ番目のＵＥ１０２ｃとの間のアップリンクチャネルを推定するためにｅノードＢ１１０に送信し得る。ＳＲＳ１０８ａ―ｃはＵＥ１０２ａ―ｃから送信されるが、チャネル相互依存の関係を用いてダウンリンクチャネルはアップリンクチャネルに似ているので、ＳＲＳ１０８ａ―ｃは、時分割二重（ＴＤＤ）システム内のダウンリンクチャネルを推定するためにも使用され得る。従って、ＳＲＳ１０８ａ―ｃはアップリンクのレートアダプテーション（及び、チャネル相互依存の関係が、例えばＴＤＤにおいて利用されることができる場合、ダウンリンクのレートアダプテーション）のために使われ得る。
【００２０】
[0027]ｅノードＢ１１０はセル特有ＳＲＳパラメータ１１２のセットを含み得る。セル特有ＳＲＳパラメータ１１２は、セル全体のためのＳＲＳの送信を示すセル特有ＳＲＳサブフレーム１１４とセル内の最大可能ＳＲＳ送信帯域幅を示すセル特有ＳＲＳ帯域幅１１６とを含み得る。言い換えれば、セル特有ＳＲＳパラメータ１１２は、個々のＵＥ１０２ａ―ｃよりはむしろ、セル全体（すなわち、ｅノードＢ１１０によってサービスされる全てのＵＥ１０２ａ―ｃ）に適用可能な情報を含み得る。ｅノードＢ１１０はまたＵＥ特有ＳＲＳパラメータ１０４ｄを含むことができる。ＵＥ特有ＳＲＳパラメータ１０４ｄは、ＵＥ１０２ａ―ｃに対するＵＥ特有ＳＲＳインスタンスを示すＵＥ特有ＳＲＳサブフレーム１２０を含むことができる、すなわち、ＵＥ特有ＳＲＳサブフレーム１２０はセル特有ＳＲＳサブフレーム１１４のサブセットであっても良い。ＵＥ特有ＳＲＳ帯域幅１２２は１つの特定のＵＥ１０２ａ―ｃに対して割り当てられたＳＲＳ帯域幅を示すことができる。例えば、１つの特定のセル特有ＳＲＳ帯域幅１１６に対して、１つのＵＥ１０２ａ―ｃにはｍＳＲＳ，ｂで表される４つの可能なＳＲＳ帯域幅のうちの１つが割り当てられ、ここで、ｂ＝０，１，２又は３であり、すなわち、各ＵＥ１０２ａ―ｃはルート、中間（internediate）、又はリーフのタイプ１０６ａ―ｃを有することができる。例えば、ｂ＝０はルートのＵＥ１０２ａ―ｃを示し、ｂ＝１又は２は、中間のＵＥ１０２ａ―ｃを示し、そしてｂ＝３はリーフのＵＥ１０２ａ―ｃを示す。１つのＵＥ１０２ａ―ｃに対してｂ＝０の場合（すなわち、ルートのＵＥ１０２ａ―ｃ）、ＵＥ特有ＳＲＳ帯域幅１２２は、セル特有ＳＲＳ帯域幅１１６と同じである。１つのＵＥ１０２ａ―ｃに対してｂ＞０の場合（すなわち、リーフ又は中間のＵＥ１０２ａ―ｃ）、ＵＥ特有ＳＲＳ帯域幅１２２はセル特有ＳＲＳ帯域幅１１６よりも小さい。ＵＥ１０２ａ―ｃは、異なる送信インスタンス中、セル特有ＳＲＳ帯域幅１１６内をホッピングするように構成され得、例えば、セル特有ＳＲＳ帯域幅１１６の全体又はセル特有ＳＲＳ帯域幅１１６の一部を循環する（cycling）。さらに、ＵＥ特有ＳＲＳパラメータ１０４ａ―ｄは、個々のＵＥ１０２ａ―ｃのためのタイミングおよび循環シフトに関する情報を含むことができる。
【００２１】
[0028]ＴＤＤにおいて、同じ帯域幅はアップリンク及びダウンリンク情報を搬送するために使用され得、すなわち、単一の無線フレームは、アップリンクおよびダウンリンクの両方のサブフレームを含むことができる。特殊な遷移フレームは、ダウンリンクフレームとアップリンクフレームとの間の遷移に使用され得る。特殊な遷移サブフレームにおいて、最初のシンボルはダウンリンク情報に使用され、次いでガード間隔とアップリンクシンボルが続く。ガード間隔によって、アップリンクシンボルが確実に送信されることができるように十分にｅノードＢ１１０の電力を消散させることができる。
【００２２】
[0029]１つの構成において、特殊な遷移フレームはアップリンクシンボルに対して１つまたは２つのシンボルを割り当てるのみである。特殊な遷移フレーム内のこれらのアップリンクシンボルはアップリンク・パイロット・タイムスロット（ＵｐＰＴＳ）と呼ばれ得る。しかし、アップリンクデータを搬送する代わりに、ＵｐＰＴＳ部分は、ＳＲＳ１０８ａ―ｄと物理ランダムアクセスチャネル（ＰＲＡＣＨ）フォーマット４データを送信するために使用され得る。例えば、ｅノードＢ１１０は、全てのＵＥ１０２ａ―ｃに対してＰＲＡＣＨフォーマット４データリソースについてブロードキャストし得る。
【００２３】
[0030]ＴＤＤを用いるＵｐＰＴＳの利用は、３ＧＰＰ  ＴＳ３６．２１１  Ｖ９．０．０、セクション５．５．３．２に、「ＵｐＰＴＳの場合、この再構成が上位層によって与えられたセル特有パラメータｓｒｓＭａｘＵｐＰｔｓによってイネーブルされた場合には、ｍSRS,0は、
【数１】
0005752854.tif 000002
【００２４】
に再構成されることになり、そうではなく、再構成がディセーブルされた場合
【数２】
0005752854.tif 000003
【００２５】
ここで、各アップリンク帯域幅
【数３】
0005752854.tif 000004
【００２６】
について、表５．５．３．２―１から５．５．３．２―４から、ｃはＳＲＳ  ＢＷ構成であり、ＣＳＲＳはＳＲＳ  ＢＷ構成のセットであり、ＮＲＡは、アドレス指定されたＵｐＰＴＳ内のフォーマット４ＰＲＡＣＨの数であり、表５．７．１―４から導き出される。」と記載されている。
【００２７】
[0031]言い換えれば、ＳＲＳ１０８ａ―ｄに対して、使用可能なＵｐＰＴＳ部分全体を使用するのが有利であり、すなわち、ＵｐＰＴＳ部分内でＳＲＳ１０８ａ―ｄを送信するときに、ＰＲＡＣＨフォーマット４データに割り当てられる帯域幅を除外するだけである。特に、ルートＵＥ１０２ａ―ｃに対して、ＵｐＰＴＳフラグ１１８は、全ての使用可能なＵｐＰＴＳがＳＲＳ１０８ａ―ｄを送信するためにいつ使用されるべきかを示し、すなわち、ＰＲＡＣＨフォーマット４データに対して割り当てられる帯域幅を除外するだけである。例えば、ＵｐＰＴＳフラグ１１８（例えば、ｓｒｓＭａｘＵｐＰｔｓ）は、ｅノードＢ１１０によって設定され、並びに全てのＵＥ１０２ａ―ｃに対してブロードキャストされ得る。従って、いくつかの構成において（例えば、ＴＳ３６．２１１に従って）、ルートＵＥ１０２ａ―ｃは、ＰＲＡＣＨフォーマット４データに割り当てられた帯域幅を除外することのみによって、ＵｐＰＴＳにおいて使用可能な最大のアップリンクサウンディング帯域幅を使用することが可能となる。しかし、以下に議論されるように、ルートＵＥ１０２ａ―ｃにＳＲＳ帯域幅を最大にすることを可能にしただけでは非効率的である。
【００２８】
[0032]従って、ルートＵＥ１０２ａ―ｃのためのＵＥ特有ＳＲＳ帯域幅１２２を増やすのに加えて、本システム及び方法は、リーフＵＥ１０２ａ―ｃと中間ＵＥ１０２ａ―ｃ（すなわち、そうでなければＳＲＳ１０８ａ―ｄの送信のためにＵｐＰＴＳ全体を使用することができないＵＥ１０２ａ―ｃ）に対して、ＵＥ特有ＳＲＳ帯域幅１２２を増やすことができる。本システム及び方法によって利用される追加のＵｐＰＴＳ帯域幅は、そうでなければ使用され得ない。
【００２９】
[0033]ここで使用されるように、用語「使用可能なＵｐＰＴＳ部分」、「使用可能なＳＲＳ帯域幅」、「使用可能なアップリンク帯域幅」、「ｍSRS,0/1/2/3（ＵｐＰＴＳ）」、又は「ｍSRS,0/1/2/3（通常のアップリンクサブフレーム）」は、ＳＲＳの送信のために使われることができる使用可能な帯域幅の量を指す。例えば、ＵｐＰＴＳにおいて、これらの用語は、ＵｐＰＴＳ内のシステム帯域幅マイナスＰＲＡＣＨフォーマット４データに割り当てられる帯域幅を指すことができる。言い換えれば、状況によっては、ＵＥ１０２ａ―ｃは、ＰＲＡＣＨフォーマット４に対して割り当てられる帯域幅を除いて、ＵｐＰＴＳ帯域幅のほとんど全てを利用することができる。通常のアップリンクサブフレームにおいて、「使用可能なＳＲＳ帯域幅」又は「使用可能なアップリンク帯域幅」は割り当てられたＳＲＳ帯域幅を指すことができる。
【００３０】
[0034]図２は無線フレーム２２４内の特殊な遷移サブフレーム２２６を示すブロック図である。無線フレーム２２４は、ダウンリンクデータおよび制御を搬送するためのダウンリンクサブフレーム２２８と、アップリンクデータおよび制御を搬送するために用いられるアップリンクサブフレーム２３０と、を含むことができる。無線フレーム２２４は、単一のダウンリンクサブフレーム２２８と単一のアップリンクサブフレーム２３０のみを含んでいるように示されているが、１つを超えるダウンリンクサブフレーム２２８と１つを超えるアップリンクサブフレーム２３０が、無線フレーム２２４内に含まれても良い。ダウンリンクサブフレーム２２８からアップリンクサブフレーム２３０への遷移において、特殊な遷移サブフレーム２２６は、ダウンリンク情報とアップリンク情報の両方を搬送するために使われることができる。特に、特殊な遷移サブフレーム２２６は、ダウンリンク・パイロットタイムスロット（ＤｗＰＴＳ）２３２、ガード期間（ＧＰ）２３４、およびアップリンク・パイロットタイムスロット（ＵｐＰＴＳ）２３６を含み得る。ガード期間（ＧＰ）２３４は、ＵｐＰＴＳ２３６部分の間に送信されたアップリンク情報が確実に受信されることができるように、ｅノードＢ１１０電力が消散することを可能にし得る。
【００３１】
[0035]１つの構成において、無線フレーム２２４中の各サブフレームは１ミリ秒である。従って、アップリンクサブフレーム２３０は、データ、制御、ＳＲＳ、物理ランダムアクセスチャネル（ＰＲＡＣＨ）、フォーマット４データ、又はいくつかの組み合わせを送信するために使われることができる。しかし、特殊な遷移サブフレーム２２６のＵｐＰＴＳ部分２３６はたった１つか２つのアップリンクシンボルしか持つことができないので、ＳＲＳ１０８ａ―ｄ又はＰＲＡＣＨフォーマット４を送信することに制限され得る。すなわち、ＵｐＰＴＳ部分２３６は、通常のアップリンクサブフレーム２３０ほど多くのリソースブロック（ＲＢ）を含まないからである。以下で論じるように、本システムおよび方法によって、ＳＲＳ１０８ａ―ｄを送信するために使用可能なＵｐＰＴＳ部分を最大化することができる。
【００３２】
[0036]１つの構成において、使用可能なＵｐＰＴＳ部分は、セル用のフォーマット４ＰＲＡＣＨのために用いられるＲＢの数を減ずることによって決定し得、すなわちｅノードＢ１１０は帯域幅を決定し、そしてそれをＵＥ１０２ａ―ｃに送信し得る。Ｒｅｌ―１１及びそれ以降において、複数の受信プロセッサ（例えば、多地点協調（ＣоＭＰ）セットにおける複数のｅノードＢ１１０及び／又は遠隔無線ヘッド（ＲＲＨ））は、ＰＲＡＣＨリソースを直交させることによってＰＲＡＣＨを検出することを望むことができる。
【００３３】
[0037]しかし、ＣоＭＰセット内で、単にサービングセルのフォーマット４ＰＲＡＣＨの帯域幅を減ずるだけでは、ＵＥ１０２ａ―ｃが、ＣоＭＰセット内の１つを超えるｅノードＢ１１０から信号を受信し得るので、十分でない可能性がある。そのため、第１のオプションにおいて、サービングセルは、ＣоＭＰセット内の全てのセルに対するフォーマット４ＰＲＡＣＨデータのための帯域幅を含むように、フォーマット４ＰＲＡＣＨデータに必要とされるＲＢの数を故意に増やし、すなわち、ＣоＭＰセット内の全てのセルのためのＲＢの数をＵＥ１０２ａ―ｃに明示的にシグナリングする。第２のオプションにおいて、ｅノードＢ１１０はＣоＭＰセットをＵＥ１０２ａ―ｃ（例えば、システム情報ブロック２（ＳＩＢ２）において）にシグナリングし、ＵＥ１０２ａ―ｃは、いくつフォーマット４ＰＲＡＣＨが必要かを知るために、ＣоＭＰセット内の全てのセルをリッスンし得る。第３のオプションにおいて、ｅノードＢ１１０は、全体的に新しいシグナリングを用いて、ＣоＭＰセット内のＰＲＡＣＨフォーマット４データを占める使用可能なサウンディング帯域幅をＵＥ１０２ａ―ｃに通知する。
【００３４】
[0038]さらに、ＵＥ１０２ａ―ｃは一度だけＳＲＳ１０８ａ―ｄを送信することができる。これは非周期性ＳＲＳ（Ａ―ＳＲＳ：aperiodic SRS）と呼ばれる。いくつかのアップリンクおよびダウンリンク制御情報（ＤＣＩ）のフォーマットは、上位層によって構成された場合、非周期性ＳＲＳトリガリングのために含まれる１つ又は２つのビットを有する。しかし、ＤＣＩを用いる代わりに、ランダムアクセス応答（ＲＡＲ）許可におけるフリービットは、非周期性ＳＲＳをトリガするために用いられ得、すなわち、非コンテンションベース・ランダムアクセスプロシージャのためのＡ―ＳＲＳをトリガするために、１つのビットがＲＡＲに追加され得る。ＭＡＣ  ＲＡＲは固定サイズ（４８ビット）であり、また予約ビット（「０」に設定されている）、タイミング・アドバンス・コマンド・フィールド（１１ビット）、アップリンク・グラント・フィールド（２０ビット）、および一時的Ｃ―ＲＮＴＩ（（セル無線ネットワーク一時的識別子）フィールド（１６ビット）を含む。ＲＡＲ内の予約ビットを利用することは、レガシーインパクトを持たず、かつＲＡＲのペイロードサイズを増加し得ない。
【００３５】
[0039]図３は、アップリンク・パイロット・タイムスロット（ＵｐＰＴＳ）３３６及び通常のアップリンクサブフレーム３３０内の相対的サウンディング基準信号（ＳＲＳ）３０８ａ―ｂの割り当てを示すブロック図である。特に、図３は、ｍSRS,0（ＵｐＰＴＳ）３２２ａがｍSRS,0（通常のアップリンクサブフレーム）３２２ｂより大きい、すなわちＵｐＰＴＳ３３６が通常のアップリンクサブフレーム３３０よりも大きい使用可能なＳＲＳ３０８ａ―ｂ帯域幅を提供する構成を示す。
【００３６】
[0040]先に記載したとおり、特殊な遷移サブフレーム（すなわち、ＴＤＤシステムにおけるダウンリンク及びアップリンクデータサブフレーム間の遷移）内の第１シンボルはダウンリンク情報に使用され、その後ガード間隔とアップリンクシンボルが続く。特殊な遷移フレーム内のこれらのアップリンクシンボルは、アップリンク・パイロット・タイムスロット（ＵｐＰＴＳ）３３６と呼ばれ得る。一般的に、特殊な遷移サブフレームのＵｐＰＴＳ部分３３６は、ＰＲＡＣＨフォーマット４データ３３８を含むことができ、それは帯域幅の端部に各端部上の１８個までのリソースブロック（ＲＢ）におよび、位置する。言い換えれば、特殊な遷移フレーム内の最大ＳＲＳ３０８ａ―ｂ帯域幅は、ＰＲＡＣＨフォーマット４データ３３８によって減らされたＵｐＰＴＳ部分３３６のためのＲＢであり得る。同様に、通常のアップリンクサブフレーム３３０は物理アップリンク制御チャネル（ＰＵＣＣＨ）データ３４０ａ―ｂを含むことができる。従って、通常のアップリンクサブフレーム３３０に対する最大ＳＲＳ３０８ｂの帯域幅は、アップリンクサブフレーム３３０内のＰＵＣＣＨデータ３４０ａ―ｂによって制限され得る。ＰＲＡＣＨフォーマット４データ３３８とＰＵＣＣＨデータ３４０ａ―ｂにより、特殊な遷移サブフレームのＵｐＰＴＳ部分３３６のために使用可能なＳＲＳ３０８ａ帯域幅と、通常のアップリンクサブフレーム３３０のために使用可能なＳＲＳ３０８ｂ帯域幅は変動し得る。
【００３７】
[0041]例示の目的で、通常のアップリンクサブフレーム３３０の帯域幅が１０ＭＨｚ（５０個のＲＢ）であると仮定する。テーブル１は、第３世代パートナーシッププロジェクトＴＳ３６．２１１におけるテーブル５．５．３．２―２に類似する、通常のアップリンクフレームについての使用可能な帯域幅構成のうちの１つの構成を示す。
【表１】
0005752854.tif 000005
【００３８】
[0042]ここで、ｍSRS,bは、タイプｂのユーザ（すなわち、ルートＵＥ、リーフＵＥ、中間ＵＥ）に対して割り当てられたＳＲＳ３０８ａ―ｂ帯域幅であり、Ｎbは、ｂ番目のレベルにおけるノードの数を示す。例えば、ＳＲＳ３０８ａ―ｂ帯域幅構成０（ＣSRS＝０）において、４８個のＲＢを有する１つのルートノード、それぞれが２４個のＲＢを有するレベルｂ＝１における２つのノード、それぞれが１２個のＲＢを有するレベルｂ＝２における２つのノード、それぞれが４個のＲＢを有するレベルｂ＝３における３つのノードが存在する。これは、ｃｏｍｂの数に基づいて定義されることができ、例えば、全部で２つのｃｏｍｂが定義されることができる。
【００３９】
[0043]例えば、ＰＲＡＣＨフォーマット４データ３３８が０個のＲＢを占有し（すなわち、ＰＲＡＣＨ４データなし）、ＰＵＣＣＨデータ３４０ａ―ｂが１０個のＲＢを占有している場合、ｍSRS,0（ＵｐＰＴＳ）３２２ａは、ｍSRS,0（通常のアップリンクサブフレーム）３２２ｂより大きくなり得る。言い換えれば、特殊な遷移サブフレーム内のＵｐＰＴＳ部分３３６は、ＳＲＳ３０８ａを送信するために、通常のアップリンクサブフレーム３３０よりもルートノードに対してより多くの使用可能なＳＲＳ帯域幅を提供することができる。特に、ルートＵＥ（ｂ＝０）の場合、特殊な遷移サブフレームのＵｐＰＴＳ部分３３６に対して使用可能なＳＲＳ帯域幅（ｍSRS,0（ＵｐＰＴＳ）３２２ａ）は、ＰＲＡＣＨフォーマット４データ３３８がなしで、４８個のＲＢであり、一方、ＰＵＣＣＨ３４０ａ―ｂが１０個のＲＢを占有する時に、通常のアップリンクサブフレームに対して使用可能なＳＲＳ帯域幅（ｍSRS,0（通常のアップリンクサブフレーム）３２２ｂ）は、４０個のＲＢであり得る。従って、図３は、ＵｐＰＴＳ３３６が通常のアップリンクサブフレーム３３０より大きい使用可能なＳＲＳ帯域幅を提供する場合を示す。
【００４０】
[0044]先に、ＵＥ１０２ａ―ｃがｂ＝１／２／３（すなわち、リーフ／中間ＵＥ）で構成された場合、ｂ＝１／２／３に対するｍSRS,b（ＵｐＰＴＳ）はｍSRS,b（通常のアップリンクサブフレーム）でなくてはならない。言い換えれば、非ルート（すなわち、リーフ／中間）ＵＥ１０２ａ―ｃは、ルートＵＥ１０２ａ―ｃのようなＳＲＳ３０８ａの送信のために使用可能なＵｐＰＴＳ帯域幅を全て利用することはできない。従って、不必要に小さいＳＲＳ３０８ａ帯域幅が、非ルートＵＥ１０２ａ―ｃによってＵｐＰＴＳ３３６内のＳＲＳ３０８ａの送信のために使用され得る。言い換えれば、ＵｐＰＴＳ３３６内の使用可能なＳＲＳ帯域幅がノーマルアップリンクサブフレーム３３０内の使用可能なＳＲＳ帯域幅よりも大きい場合、リーフ又は中間ＵＥ１０２ａ―ｃは、使用可能なＵｐＰＴＳ帯域幅を十分に利用することを許可され得ない。
【００４１】
[0045]別の例において、５０個のＲＢの帯域幅を有するシステムがあり、ノーマルアップリンクサブフレーム３３０のために、ＳＲＳ送信のために３６個のＲＢを使用した、すなわち、テーブル１における構成３（ＣSRS＝３）であると仮定する。ＵｐＰＴＳ３３６内のＰＲＡＣＨフォーマット４に対して６個のＲＢを有しており、その結果、ＰＲＡＣＨフォーマット４データ３３８を除いて４４個のＲＢを有していると仮定する。現在、ルートＵＥ１０２ａ―ｃだけがＳＲＳの送信に４０個のＲＢを使用することができ、一方その残り（すなわち、リーフおよび中間ＵＥ１０２ａ―ｃ）はノーマルサブフレームと同様に３６個のＲＢを用いて、ＳＲＳ３０８ａだけを送信することのみ可能である。４０個のＲＢが４４個のＲＢの代わりに許可される理由は、テーブル１に従って、４４以下のＳＲＳ  ＲＢの最大数を有する構成を選ばなければならないからであり、すなわち、最初の２つのＳＲＳ構成（ＣSRS＝０，１）は、４４個のＲＢより大きい４８個のＲＢを必要とする。言い換えれば、ＳＲＳ３０８ａの送信のために、リーフ又は中間ＵＥ１０２ａ―ｃは、割り当てられたＰＲＡＣＨフォーマット４データ３３８の量によって減らされたシステム帯域幅よりも大きくない最大数のＳＲＳ  ＲＢ（ｍSRS,0）を有するルートＵＥ１０２ａ―ｃＳＲＳ構成を選択し得る。従って、本システム及び方法は、非ルートＵＥ１０２ａ―ｃが、ＳＲＳ３０８ａを送信するために、３６個のＲＢの代わりに使用可能な４０個のＲＢを用いることを可能にする。
【００４２】
[0046]図４は、アップリンク・パイロットタイムスロット（ＵｐＰＴＳ）４３６及び通常のアップリンク（ＵＬ）サブフレーム４３０内の使用可能なサウンディング基準信号（ＳＲＳ）４０８ａ―ｂの帯域幅を示す別のブロック図である。しかし、図４はｍSRS,0（ＵｐＰＴＳ）４２２ａが、ｍSRS,0（通常のアップリンクサブフレーム）４２２ｂより小さい構成を示し、すなわち、ＵｐＰＴＳ部分４３６が通常のアップリンクサブフレーム４３０より小さい使用可能なＳＲＳ帯域幅を提供し得る。
【００４３】
[0047]例えば、ＰＲＡＣＨフォーマット４データ４３８が１２個のＲＢを占有し、かつＰＵＣＣＨデータ４４０ａ―ｂが１０個のＲＢを占有する場合、ｍSRS,0（ＵｐＰＴＳ）４２２ａは、ｍSRS,0（通常のアップリンクサブフレーム）４２２ｂより小さい。特に、ルートＵＥ（ｂ＝０）１０２ａ―ｃについて、ＰＲＡＣＨフォーマット４データ４３８が１２個のＲＢを占有する場合、特殊な遷移サブフレームのＵｐＰＴＳ部分４３６に対して使用可能なＳＲＳ４０８ａ帯域幅（すなわち、ｍSRS,0（ＵｐＰＴＳ）４２２ａ）は３６個のＲＢであり、一方ＰＵＣＣＨ４４０ａ―ｂが１０個のＲＢを占有する場合、通常のアップリンクサブフレーム４３０に対して使用可能なＳＲＳ帯域幅（すなわち、ｍSRS,0（通常のアップリンクサブフレーム）４２２ｂ）は４０個のＲＢであり得る。従って、図４はＵｐＰＴＳ部分４３６が、ＳＲＳ４０８ａ―ｂの送信のために、通常のアップリンクサブフレーム４３０よりも少ない帯域幅を提供することができる場合を示す。
【００４４】
[0048]ＵＥ１０２ａ―ｃがｂ＝１／２／３（すなわち、リーフ／中間ＵＥ）で構成される場合、ｂ＝１／２／３に対してｍSRS,b（ＵｐＰＴＳ）はｍSRS,b（通常のＵＬサブフレーム）４２２ｃでなくてはならない。さらに、リーフ及び中間ユーザには、通常のアップリンクサブフレーム４３０に対する同じ帯域幅ロケーションも割り当てられ得る。言い換えれば、非ルートユーザにはＵｐＰＴＳ４３６内の同じＳＲＳ帯域幅と帯域幅ロケーションが、それが通常のアップリンクサブフレーム４３０上を送信されていたように、割り当てられ得る。ｍSRS,1/2/3４２２ｃ（通常のアップリンクサブフレーム）は、アップリンクサブフレーム４３０内で対称的に位置されており、ｍSRS,0（ＵｐＰＴＳ）４２２ａは、ＰＲＡＣＨフォーマット４データ４３８を避けるために、ＵｐＰＴＳ部分４３６の一端から開始し得えるので、非ルートユーザに対するＵｐＰＴＳ４３６内のＳＲＳ４０８ｂ送信とＰＲＡＣＨフォーマット４データ４３８と間でオーバーラップがあることになる。ＴＳ３６．２１３に従って、ＳＲＳ４０８ａ―ｂは、それがＰＲＡＣＨフォーマット４データ４３８と競合するときドロップされ得る。従って、ＵｐＰＴＳ４３６内で送信されたＳＲＳ４０８ａ―ｂは、ｍSRS,0（ＵｐＰＴＳ）４２２ａ＜ｍSRS,0（通常のアップリンクサブフレーム）４２２ｂの時にドロップさる得る。
【００４５】
[0049]将来、ＳＲＳ４０８ａ―ｂは、例えば、多地点協調（ＣоＭＰ）が実現されるとき、さらに一般に用いられ得る。さらに、ＰＲＡＣＨフォーマット４データ４３８はまた、小さいセル、特にＣоＭＰ内の遠隔無線ヘッド（ＲＲＨｓ）に対して一般に用いられ得る。従って、図３（帯域幅の非能率な使用）及び図４（ＳＲＳの衝突及びドロッピング）において論じられた問題はさらに強いインパクトになり得る。従って、本システム及び方法は、より効率よく帯域幅を利用し、かつ衝突を避けるために、ＳＲＳ４０８ａ―ｂ送信を増強する。
【００４６】
[0050]図５は、サウンディング基準信号（ＳＲＳ）を増強するための方法５００を示すフロー図である。方法５００は、使用可能なＵｐＰＴＳ帯域幅が、ノーマルアップリンクサブフレーム内の使用可能なＳＲＳ帯域幅よりも大きい場合、リーフ／中間ＵＥ１０２ａ―ｃが、使用可能なＵｐＰＴＳ帯域幅を十分に利用することができるようにする。方法５００はＵＥ１０２ａ―ｃによって実行され得る。特に、方法５００はリーフ又は中間ＵＥ１０２ａ―ｃ、すなわち、非ルートＵＥ１０２ａ―ｃによって実行され得る。
【００４７】
[0051]非ルートＵＥ１０２ａ―ｃは、５０２において、全てのＳＲＳ３０８ａ送信が遷移サブフレームのＵｐＰＴＳ３３６部分で起きるであろうと決定し得る。これは２つの方法のうちの１つにおいて実現され得る。１つの構成において、ｅノードＢ１１０は、全てのセル特有ＳＲＳ３０８ａのサブフレームがＵｐＰＴＳ３３８の間だけ送信されることと、これを、それがサービスしている全てのＵＥ１０２ａ―ｃに、例えばセル特有サブフレームパラメータ１１２でブロードキャストすることと、を決定し得る。例えば、ＴＳ３６．２１１内のテキストは読むために修正され得る（修正は最後にイタリック体で示される）。
【００４８】
ＵｐＰＴＳの場合、この再構成が上位層によって与えられたセル特有パラメータｓｒｓＭａｘＵｐＰｔによってイネーブルされた場合には、ｍSRS,0は、
【数４】
0005752854.tif 000006
【００４９】
に再構成されることになり、そうではなく、再構成がディセーブルされた場合
【数５】
0005752854.tif 000007
【００５０】
ここで、各アップリンク帯域幅
【数６】
0005752854.tif 000008
【００５１】
について、ｃはＳＲＳ  ＢＷ構成であり、ＣＳＲＳはＳＲＳ  ＢＷ構成のセットであり、ＮＲＡは、アドレス指定されたＵｐＰＴＳ内のフォーマット４ＰＲＡＣＨの数である。セル特有ＳＲＳサブフレーム構成０の場合、全てのｍSRS,b（b＝０／１／２／３／４）の再構成はセル特定パラメータｓｒｓＭａｘＵｐＰｔｓによってイネーブルされる。
【００５２】
[0052]別の構成において、単一ＵＥ１０２ａ―ｃのみに対する全てのＳＲＳ３０８ａの送信はＵｐＰＴＳ３３６で起きるであろうと決定される。この構成において、衝突回避がＴＤＭ又はＦＤＭを介して実施され得る。
【００５３】
[0053]５０４において、非ルートＵＥ１０２ａ―ｃは、また、ＵｐＰＴＳ３３６内の使用可能なアップリンク帯域幅（すなわち、使用可能なＵｐＰＴＳ帯域幅）がノーマルアップリンクサブフレーム３３０内の使用可能なアップリンク帯域幅よりも大きいかどうかを決定する。ＮＯの場合、非ルートＵＥ１０２ａ―ｃは、５０６において、ノーマルアップリンクサブフレーム３３０に対する帯域幅を用いて現在のＳＲＳ３０８ｂを送信し得る。ＹＥＳの場合、非ルートＵＥ１０２ａ―ｃは、５０８において、ＵｐＰＴＳ３３６に対して使用可能なアップリンク帯域幅を用いて、現在のＳＲＳ３０８ａを送信し得る。言い換えれば、使用可能なＵｐＰＴＳ帯域幅がノーマルアップリンクサブフレーム３３０に対して使用可能なアップリンク帯域幅よりも大きい場合、非ルートＵＥ１０２ａ―ｃはＳＲＳ３０８ａ―ｂの送信のために使用される帯域幅を、すなわちＵｐＰＴＳ３３６内で最大限使用可能なように広げる。これは、帯域幅の端部においてリーフユーザの帯域幅を広げることを含み得る。言い換えれば、ノーマルアップリンクサブフレーム内のＳＲＳ３０８ｂの端部に帯域幅が割り当てられた非ルートＵＥ１０２ａ―ｃは、ＵｐＰＴＳ３３６内に新しく拡張された隣接帯域幅に割り当てられ得る。言い換えれば、帯域幅の端部で動作する非ルートＵＥ１０２ａ―ｃは端部の新しく使用可能な帯域幅に拡張することができる。
【００５４】
[0054]図６はアップリンクサブフレーム依存サウンディング基準信号（ＳＲＳ）の帯域幅を示すブロック図である。ＰＵＣＣＨデータ６４０ａ―ｄの帯域幅はサブフレーム６３０ａ―ｂのうちの１つから例えばヘテロジニアスネットワーク内の次のサブフレーム６３０ａ―ｂのうちの１つへと変化することができる。言い換えれば、いくつかのアップリンクサブフレーム６３０ａ―ｂは別のアップリンクサブフレームより多くのアップリンク制御を搬送し、それによってサブフレーム依存のＰＵＣＣＨ６４０ａ―ｄ領域を好ましくするように構成され得る。これらのケースの場合、ＳＲＳ６０８ａ―ｂの帯域幅は、サブフレームタイプ依存であり得る。例えば、サウンディング帯域幅は、ＰＵＣＣＨ６４０ａ―ｄのサイズを占めるサブフレームのタイプ（すなわち、ピコ又はマクロ）に依存し得る。そうでない場合は、ＳＲＳ６０８ａ―ｂは不必要に小さい帯域幅を用いて送信され得る。例えば、ｍSRS,0６２２ａ（第１アップリンクサブフレーム）は、ＰＵＣＣＨデータ６４０ａ―ｄのサイズに基づいて、ｍSRS,0６２２ｂ（第２アップリンクサブフレーム）より小さい。サブフレーム依存ＳＲＳ６０８ａ―ｂの帯域幅がサポートされない場合、ＳＲＳ６０８ａ―ｂの送信は、全てのサブフレーム６３０ａ―ｂについて最小限の帯域幅を使用することになり、すなわち、最悪の場合のシナリオである。さらに、ＵＥ１０２ａ―ｃ（又は、セル）ＳＲＳ６０８ａ―ｂが２つ以上のサブフレーム６３０ａ―ｂタイプにまたがる場合、ＳＲＳ６０８ａ―ｂ帯域幅は、サブフレームタイプのうちの最小のものに基づくか、あるいは依然として各サブフレームのタイプベースに基づき得る。
【００５５】
[0055]図７は、ＳＲＳの帯域幅オプティマイザ７４８を示すブロック図である。ＳＲＳの帯域幅オプティマイザ７４８によって、ＵＥ１０２ａ―ｃ（リーフと中間を含む）が、それらの帯域幅を最大化することができ、例えば、それが、図５に示される方法５００を実行し得る。ＳＲＳの帯域幅オプティマイザ７４８はＵＥ１０２ａ―ｃ又はｅノードＢ１１０に含まれ得る。タイミングモジュール７５０は、ＵｐＰＴＳフラグ７１８を用いて、無線通信デバイスのための全てのＳＲＳの送信が遷移サブフレームのＵｐＰＴＳ部分で起きることになるかどうかを決定する。図７はＵｐＰＴＳフラグ７１８（例えば、ｓｒｓＭａｘＵｐＰｔ）を例示しているが、全てのＵｐＰＴＳの帯域幅がＳＲＳを送信するために使われるかどうかを示す任意のデータが使われ得る。ＹＥＳの場合、コンパレータ７５６は、使用可能なＵｐＰＴＳの帯域幅７５２が使用可能なアップリンクサブフレーム帯域幅７５４よりも大きいかどうかを決定し得る。使用可能なＵｐＰＴＳの帯域幅７５２の方が大きい場合、パッキングモジュール７５８は使用可能なＵｐＰＴＳの帯域幅７５２を用いて、ＳＲＳ７０８からの送信シンボル７６０を生成し得る。使用可能なアップリンクサブフレーム帯域幅７５４の方が大きい場合、パッキングモジュール７５８は使用可能なアップリンクサブフレーム帯域幅７５４を用いて、ＳＲＳ７０８からの送信シンボル７６０を生成し得る。
【００５６】
[0056]図８は電子デバイス／無線デバイス８０４内に含まれ得る特定のコンポーネントを示す。電子デバイス／無線デバイス８０４は、アクセス端末、モバイルステーション、ユーザ機器（ＵＥ）、基地局、アクセスポイント、放送送信機、ノードＢ、発展型ノードＢ、等であっても良い。電子デバイス／無線デバイス８０４はプロセッサ８０３を含む。プロセッサ８０３は汎用のシングル又はマルチチップ・マイクロプロセッサ（例えば、ＡＲＭ）、特殊目的マイクロプロセッサ（例えば。デジタル信号プロセッサ（ＤＳＰ）、マイクロコントローラ、プログラマブル・ゲイト・アレイ、等であっても良い。プロセッサ８０３は中央演算装置（ＣＰＵ）と呼ばれ得る。単一のプロセッサ８０３だけが図８の電子デバイス／無線デバイス８０４に示されているが、代替えの構成において、複数のプロセッサ（例えば、ＡＲＭ及びＤＳＰ）の組み合わせを用いることもできる。
【００５７】
[0057]電子デバイス／無線デバイス８０４はまたメモリ８０５を含む。メモリ８０５は電子情報を格納できる任意の電子コンポーネントであっても良い。メモリ８０５は、ランダムアクセスメモリ（ＲＡＭ）、読み取り専用メモリ（ＲＯＭ）、磁気ディスク記憶媒体、光記録媒体、ＲＡＭにおけるフラッシュメモリ媒体、プロセッサと共に含まれるオンボードメモリ、ＥＰＲＯＭメモリ、ＥＥＰＲＯＭメモリ、それらの組み合わせを含むレジスタ、等として組み込まれても良い。
【００５８】
[0058]データ８０７ａ及び命令８０９ａは、メモリ８０５に記憶される。命令８０９ａはここに記載された方法を実施するためにプロセッサ８０３によって実行可能であり得る。命令８０９ａを実行することは、メモリ８０５に格納されるデータ８０７ａを用いることを含む。プロセッサ８０３が命令８０９ａを実行するとき、命令８０９ｂの様々な部分はプロセッサ８０３にロードされ、並びにデータ８０７ｂの様々な要素はプロセッサ８０３にロードされ得る。
【００５９】
[0059]電子デバイス／無線デバイス８０４はまた、電子デバイス／無線デバイス８０４への信号の送信及び電子デバイス／無線デバイス８０４からの信号の受信を可能にする送信機８１１と受信機８１３を含み得る。送信機８１１と受信機８１３は一括してトランシーバ８１５と呼ばれ得る。複数のアンテナ８１７ａ―ｂは電気的にトランシーバ８１５に結合され得る。電子デバイス／無線デバイス８０４はまた（図示されていないが）複数の送信機、複数の受信機、複数のトランシーバ及び／又は追加のアンテナを含み得る。
【００６０】
[0060]電子デバイス／無線デバイス８０４は、デジタル信号プロセッサ（ＤＳＰ）８２１を含み得る。電子デバイス／無線デバイス８０４は又、通信インターフェース８２３を含み得る。通信インターフェース８２３によって、ユーザは電子デバイス／無線デバイス８０４と相互に作用し得る。
【００６１】
[0061]電子デバイス／無線デバイス８０４の様々なコンポーネントは１つ又は複数バスによって共に結合され得、それは電力バス、制御信号バス、ステータス信号バス、データバス、等を含み得る。明瞭さのために、様々なバスは、バスシステム８１９として図８に示されている。
【００６２】
[0062]ここに記載された技術は、直交多重スキームに基づく通信システムを含む様々な通信システムのために使用され得る。こういった通信システムの例は、直交周波数分割多重接続（ＯＦＤＭＡ）システム、シングルキャリア周波数分割多元接続（ＳＣ―ＦＤＭＡ）システム、等を含む。ＯＦＤＭシステムは、全体的なシステム帯域幅を複数の直交サブキャリアに分割する変調方式である直交周波数分割多重（ＯＦＤＭ）を利用する。これらのサブキャリアは又、トーン、ビン、等と呼ばれ得る。ＯＦＤＭを用いて、各サブキャリアは独立してデータを用いて変調され得る。ＳＣ―ＦＤＭＡシステムは、システム帯域幅を渡って分散配置されるサブキャリア上で送信するためにインターリーブドＦＤＭＡ（ＩＦＤＭＡ）を使用し、隣接するサブキャリアの１つのブロック上で送信するためにローカライズドＦＤＭＡ（ＬＦＤＭＡ）を使用し、隣接するサブキャリアの複数のブロック上で送信するために拡張ＦＤＭＡ（ＥＦＤＭ）を使用し得る。一般的に、変調シンボルは、ＯＦＤＭを用いて周波数領域で送信され、ＳＣ―ＦＤＭＡを用いて時間領域で送信される。
【００６３】
[0063]用語「決定する(determining)」は様々な動作を含有し、従って、決定するは、算術する、計算する、処理する、導き出す、調査する、検索する（例えば、テーブル、データベース、又は別のデータ構造の中を検索する）、確認する、等を含むことができる。同様に、「決定する」は、受信する（例えば、情報を受信する）、アクセスする、（例えば、メモリ中のデータにアクセスする）、等を含むことができる。同様に、「決定する」は解決する、選択する(selecting)、選択する(choosing)、設定する、等を含むことができる。
【００６４】
[0064]フレーズ「に基づいて」は、はっきりと明示されない限り、「のみに基づいて」という意味ではない。言い換えれば、フレーズ「に基づいて」は「〜のみに基づいて」及び「少なくとも〜に基づいて」の両方を表す。
【００６５】
[0065]用語「プロセッサ」は汎用プロセッサ、中央演算装置（ＣＰＵ）、マイクロプロセッサ、デジタル信号プロセッサ（ＤＳＰ）、コントローラー、マイクロコントローラ、ステートマシーン、等を含むと広く解釈されるべきである。いくつかの環境において、「プロセッサ」は特定用途向け集積回路（ＡＳＩＣ）、プログラマブル論理デバイス（ＰＬＤ））、フィールド・プログラマブル・ゲイト・アレイ（ＦＰＧＡ）、等を指すことができる。用語「プロセッサ」は、複数の処理デバイスの組み合わせ、例えば、ＤＳＰ及びマイクロプロセッサの組み合わせ、複数のマイクロプロセッサ、ＤＳＰコアと併用する１つ又は複数のマイクロプロセッサ、又はいずれ別のこういった構成を指すことができる。
【００６６】
[0066]用語「メモリ」は電子情報を格納することができる任意の電子コンポーネントを含むと広く解釈されるべきである。用語メモリは、ランダムアクセスメモリ（ＲＡＭ）、読み取り専用メモリ（ＲＯＭ）、不揮発性ランダムアクセスメモリ（ＮＶＲＡＭ）、プログラマブル読み取り専用メモリ（ＰＲＯＭ）、消去可能なプログラマブル読み取り専用メモリ（ＥＰＲＯＭ）、電気的に消去可能なＰＲＯＭ（ＥＥＰＲＯＭ）、フラッシュメモリ、磁気又は光データ記憶装置、レジスタ、等のような様々なタイプのプロセッサ読み取り可能媒体を指すことができる。プロセッサがメモリから情報を読み込んだり及び／又は情報をメモリに書き込んだりする場合、メモリはプロセッサと電気的な通信状態にあると言える。プロセッサに統合するメモリはプロセッサと電気的な通信状態にある。
【００６７】
[0067]用語「命令」及び「コード」は（複数の）コンピュータ可読ステートメントの任意の種類を含むように広く解釈されるべきである。例えば、用語「命令」及び「コード」は、１つ又は複数のプログラム、ルーチン、サブルーチン、機能、プロシージャ、等を指すことができる。「命令」及び「コード」は、単一のコンピュータ可読ステートメント又は複数のコンピュータ可読ステートメントから成る。
【００６８】
[0068]ここに記載された関数は、ハードウェアによって実行されるソフトウェア又はファームウェアにおいて実施されることができる。関数はコンピュータ可読媒体上に１つ又は複数の命令として格納されることができる。用語「コンピュータ可読媒体」又は「コンピュータ・プログラム・プロダクト」はコンピュータ又はプロセッサによってアクセス可能な任意の実体のある記憶媒体を指すことができる。例として及び限定では無く、コンピュータ可読媒体は、ＲＡＭ、ＲＯＭ、ＥＥＰＲＯＭ、ＣＤ―ＲＯＭ又はその他の光ディスク記憶媒体、磁気ディスク記憶媒体、または磁気記憶デバイス、またはコンピュータによってアクセス可能な命令又はデータ構造の形式で望ましいプログラムコードを搬送又は格納するために用いられることができるいずれその他の媒体を備えることができる。ディスク(Disk)及びディスク(disc)は、ここで用いられるように、コンパクトディスク（ＣＤ）、レーザ―ディスク（登録商標）、光ディスク、デジタル多目的ディスク（ＤＶＤ）、フロッピー（登録商標）ディスク、及びブルーレイディスクを含み、ここで、ディスク(Disks)は、通常データを磁気的に再生し、一方ディスク(discs)は、レーザを用いてデータを工学的に再生する。
【００６９】
[0069]ここに記載された方法は、記載された方法を達成するための１つ又は複数のステップ又は動作を備える。方法のステップ及び／又は動作は請求項の範囲を逸脱することなく相互に入れ替え可能である。言い換えれば、ステップ又は動作の特定の順序が、記載されている方法の適切なオペレーションに必要とされない場合、特定のステップ及び／又は動作の順序及び／又は使用は請求項の範囲を逸脱することなく修正されることができる。
【００７０】
[0070]さらに、図５によって例示されたように、ここに記載された方法及び技術を実行するためのモジュール及び／又はその他の適切な手段は、デバイスによってダウンロード、及び／又はさもなければ取得され得るということが理解されるべきである。例えば、デバイスはサーバに結合されて、ここに記載された方法を実行するための手段の転送を容易にすることができる。あるいは、ここに記載された様々な方法は、格納手段（例えば、ランダムアクセスメモリ（ＲＡＭ）、読み取り専用メモリ（ＲＯＭ）、コンパクトディスク（ＣＤ）又はフロッピーディスクのような物理記憶媒体、等）を介して提供されることができ、その結果、デバイスは、デバイスに格納手段を結合または提供するとすぐに様々な方法を取得することができる。
【００７１】
[0071]請求項は上述された明確な構成及びコンポーネントに限定されないと理解されるべきである。様々な修正、変更、及びバリエーションは、請求項の範囲から逸脱することなく、ここに記載されたシステム、方法、及び装置の配置、オペレーション、及び詳細において行われることができる。
以下に本願発明の当初の特許請求の範囲に記載された発明を付記する。
［１］  非ルート無線通信デバイス内のサウンディング基準信号（ＳＲＳ）を増強するための方法であって、前記無線通信デバイスのための全てのＳＲＳの送信が、遷移サブフレームのアップリンク・パイロットタイムスロット（ＵｐＰＴＳ）部分に起きるであろうと決定することと、前記ＵｐＰＴＳ部分のための使用可能なアップリンク帯域幅がノーマルアップリンクサブフレームに対して使用可能なアップリンク帯域幅よりも大きいかどうかを決定することと、前記ＵｐＰＴＳ部分のための前記使用可能なアップリンク帯域幅が、前記ノーマルアップリンクサブフレームのための使用可能なアップリンク帯域幅よりも大きい時、前記ＵｐＰＴＳ部分のための前記使用可能なアップリンク帯域幅を用いて現在のＳＲＳを送信することと、を備える、方法。
［２］  前記ＵｐＰＴＳ部分のための前記使用可能なアップリンク帯域幅が、前記ノーマルアップリンクサブフレームのための使用可能なアップリンク帯域幅よりも大きくない時、前記ノーマルアップリンクサブフレームのための前記使用可能なアップリンク帯域幅を用いて、前記現在のＳＲＳを送信することをさらに備える［１］の方法。
［３］  全てのＳＲＳの送信が前記ＵｐＰＴＳ部分に起きるであろうと決定することは、基地局から指示を受信することを備える、［１］の方法。
［４］  ノーマルアップリンクサブフレームのための前記使用可能なアップリンク帯域幅を受信することをさらに備える、［１］の方法。
［５］  ノーマルアップリンクサブフレームのための前記使用可能なアップリンク帯域幅は多地点協調（ＣоＭＰ）セット内の複数のセルを占める［４］の方法。
［６］  遷移サブフレームの前記ＵｐＰＴＳ部分のための前記使用可能なアップリンク帯域幅を受信することをさらに備える［１］の方法。
［７］  前記ＵｐＰＴＳ部分のための前記使用可能なアップリンク帯域幅は、多地点協調（ＣоＭＰ）セット内の複数のセルを占める、［６］の方法。
［８］  サービングセルのためのＰＲＡＣＨフォーマット４データに割り当てられたリソースブロックの数の物理ランダムアクセスチャネル（ＰＲＡＣＨ）インジケータを受信することをさらに備え、前記ＰＲＡＣＨインジケータはまた、前記ＣоＭＰセット内の少なくとも１つの非サービングセルのためのＰＲＡＣＨフォーマット４データに割り当てられたリソースブロックの数を示し、前記インジケータは前記サービングセルから受信される、［７］の方法。
［９］  サービングセルから前記ＣоＭＰセット内の全てのセルのインジケータを受信することと、前記ＣоＭＰセット内の各セルのためのＰＲＡＣＨフォーマット４データに割り当てられたリソースブロックの数の別々のＰＲＡＣＨインジケータを受信することと、前記ＰＲＡＣＨインジケータは、前記ＣоＭＰセット内の各セルから受信される、をさらに備える、［７］の方法。
［１０］  前記ＣоＭＰセット内のサービングセルと少なくとも一つの非サービングセルのためのＰＲＡＣＨフォーマット４データに割り当てられたリソースブロックの数の明示の物理ランダムアクセスチャネル（ＰＲＡＣＨ）インジケータを受信することをさらに備え、前記インジケータは、前記サービングセルから受信される、［７］の方法。
［１１］  前記送信することは、前記ＵｐＰＴＳ部分のための前記使用可能なアップリンク帯域幅の端部で動作する無線通信デバイスに前記ＵｐＰＴＳ部分のための使用可能な追加の帯域幅を割り当てることを備える［１］の方法。
［１２］  非周期性ＳＲＳがトリガされるべきことを示す予約ビットを含むランダムアクセス応答（ＲＡＲ）の許可を受信することをさらに備える［１］の方法。
［１３］  前記無線通信デバイスのための全てのＳＲＳの送信が前記ＵｐＰＴＳ部分で起きるであろうと前記決定することは、基地局によってサービスされる全ての無線通信デバイスのための全てのＳＲＳの送信が、前記ＵｐＰＴＳ部分に起きるであろうと決定することを備える、［１］の方法。
［１４］  非ルート無線通信デバイス内のサウンディング基準信号（ＳＲＳ）を増強するための装置であって、プロセッサと、前記プロセッサと電子通信するメモリと、前記メモリに記憶された複数の命令と、を備え、前記複数の命令は、前記プロセッサにより、前記無線通信デバイスのための全てのＳＲＳの送信が、遷移サブフレームのアップリンク・パイロットタイムスロット（ＵｐＰＴＳ）部分に起きるであろうと決定することと、前記ＵｐＰＴＳ部分のための使用可能なアップリンク帯域幅がノーマルアップリンクサブフレームのための使用可能なアップリンク帯域幅よりも大きいかどうかを決定することと、前記ＵｐＰＴＳ部分のための前記使用可能なアップリンク帯域幅が、前記ノーマルアップリンクサブフレームのための使用可能なアップリンク帯域幅よりも大きい時、前記ＵｐＰＴＳ部分のための前記使用可能なアップリンク帯域幅を用いて現在のＳＲＳを送信すること、を実行可能である、装置。
［１５］  前記ＵｐＰＴＳ部分のための前記使用可能なアップリンク帯域幅が、前記ノーマルアップリンクサブフレームのための使用可能なアップリンク帯域幅よりも大きくない時、前記ノーマルアップリンクサブフレームのための前記使用可能なアップリンク帯域幅を用いて、前記現在のＳＲＳを送信することを実行可能である命令をさらに備える、［１４］の装置。
［１６］  全てのＳＲＳの送信が前記ＵｐＰＴＳ部分に起きるであろうと決定することを実行可能な前記命令は、基地局からの指示を受信することを実行可能な命令を備える、［１４］の装置。
［１７］  ノーマルアップリンクサブフレームのための前記使用可能なアップリンク帯域幅を受信することを実行可能な命令をさらに備える、［１４］の装置。
［１８］  ノーマルアップリンクサブフレームのための前記使用可能なアップリンク帯域幅は多地点協調（ＣоＭＰ）セット内の複数のセルを占める［１７］の装置。
［１９］  遷移サブフレームの前記ＵｐＰＴＳ部分のための前記使用可能なアップリンク帯域幅の受信することを実行可能な命令をさらに備える、［１４］の装置。
［２０］  前記ＵｐＰＴＳ部分のための前記使用可能なアップリンク帯域幅が、多地点協調（ＣоＭＰ）セット内の複数のセルを占める、［１９］の装置。
［２１］  サービングセルのためのＰＲＡＣＨフォーマット４データに割り当てられたリソースブロックの数の物理ランダムアクセスチャネル（ＰＲＡＣＨ）インジケータの受信することを実行可能な命令をさらに備え、前記ＰＲＡＣＨインジケータはまた、前記ＣоＭＰセット内の少なくとも１つの非サービングセルのためのＰＲＡＣＨフォーマット４データに割り当てられたリソースブロックの数を示し、前記インジケータは前記サービングセルから受信される、［２０］の装置。
［２２］  サービングセルから前記ＣоＭＰセット内の全てのセルのインジケータを受信することと、前記ＣоＭＰセット内の各セルのためのＰＲＡＣＨフォーマット４データに割り当てられたリソースブロックの数の別々のＰＲＡＣＨインジケータを受信することと、を実行可能である命令をさらに備え、前記ＰＲＡＣＨインジケータは、前記ＣоＭＰセット内の各セルから受信される、請求項［２０］の装置。
［２３］  前記ＣоＭＰセット内のサービングセルと少なくとも一つの非サービングセルのためのＰＲＡＣＨフォーマット４データに割り当てられたリソースブロックの数の明示の物理ランダムアクセスチャネル（ＰＲＡＣＨ）インジケータを受信することを実行可能な命令をさらに備え、前記インジケータは、前記サービングセルから受信される、［２０］の装置。
［２４］  送信することを実行可能な前記命令は、前記ＵｐＰＴＳ部分のための前記使用可能なアップリンク帯域幅の端部で動作する無線通信デバイスに前記ＵｐＰＴＳ部分のための使用可能な追加の帯域幅を割り当てることを実行可能な命令を備える［１４］の装置。
［２５］  非周期性ＳＲＳがトリガされるべきことを示す予約ビットを含むランダムアクセス応答（ＲＡＲ）の許可を受信することを実行可能な命令をさらに備える［１４］の装置。
［２６］  前記無線通信デバイスのための全てのＳＲＳの送信が前記ＵｐＰＴＳ部分で起きるであろうと決定することを実行可能な前記命令は、基地局によってサービスされる全ての無線通信デバイスのための全てのＳＲＳの送信が、前記ＵｐＰＴＳ部分に起きるであろうと決定することを実行可能な命令を備える、［１４］の装置。
［２７］  非ルート無線通信デバイス内のサウンディング基準信号（ＳＲＳ）を増強するための装置であって、前記無線通信デバイスのための全てのＳＲＳの送信が、遷移サブフレームのアップリンク・パイロットタイムスロット（ＵｐＰＴＳ）部分に起きるであろうと決定するための手段と、前記ＵｐＰＴＳ部分のための使用可能なアップリンク帯域幅がノーマルアップリンクサブフレームに対して使用可能なアップリンク帯域幅よりも大きいかどうかを決定するための手段と、前記ＵｐＰＴＳ部分のための前記使用可能なアップリンク帯域幅が、前記ノーマルアップリンクサブフレームのための使用可能なアップリンク帯域幅よりも大きい時、前記ＵｐＰＴＳ部分のいための前記使用可能なアップリンク帯域幅を用いて現在のＳＲＳを送信するための手段と、を備える、装置。
［２８］  前記ＵｐＰＴＳ部分のための前記使用可能なアップリンク帯域幅が、前記ノーマルアップリンクサブフレームのための使用可能なアップリンク帯域幅よりも大きくない時、前記ノーマルアップリンクサブフレームのための前記使用可能なアップリンク帯域幅を用いて、前記現在のＳＲＳを送信するための手段をさらに備える、［２７］の装置。
［２９］  全てのＳＲＳの送信が前記ＵｐＰＴＳ部分に起きるであろうと決定するための手段は、基地局から指示を受信するための手段を備える、［２７］の装置。
［３０］  ノーマルアップリンクサブフレームのための前記使用可能なアップリンク帯域幅の受信するための手段をさらに備える、［２７］の装置。
［３１］  ノーマルアップリンクサブフレームのための前記使用可能なアップリンク帯域幅は多地点協調（ＣоＭＰ）セット内の複数のセルを占める［２８］の装置。
［３２］  遷移サブフレームの前記ＵｐＰＴＳ部分のための前記使用可能なアップリンク帯域幅を受信するための手段をさらに備える、［２７］の装置。
［３３］  前記ＵｐＰＴＳ部分のための前記使用可能なアップリンク帯域幅は、多地点協調（ＣоＭＰ）セット内の複数のセルを占める、［３２］の装置。
［３４］  サービングセルのためのＰＲＡＣＨフォーマット４データに割り当てられたリソースブロックの数の物理ランダムアクセスチャネル（ＰＲＡＣＨ）インジケータを受信するための手段をさらに備え、前記ＰＲＡＣＨインジケータはまた、前記ＣоＭＰセット内の少なくとも１つの非サービングセルのためのＰＲＡＣＨフォーマット４データに割り当てられたリソースブロックの数を示し、前記インジケータは前記サービングセルから受信される、［３３］の装置。
［３５］  サービングセルから前記ＣоＭＰセット内の全てのセルのインジケータを受信するための手段と、前記ＣоＭＰセット内の各セルのためのＰＲＡＣＨフォーマット４データに割り当てられたリソースブロックの数の別々のＰＲＡＣＨインジケータを受信するための手段と、前記ＰＲＡＣＨインジケータは、前記ＣоＭＰセット内の各セルから受信される、をさらに備える［３３］の装置。
［３６］  前記ＣоＭＰセット内のサービングセルと少なくとも一つの非サービングセルのためのＰＲＡＣＨフォーマット４データに割り当てられたリソースブロックの数の明示の物理ランダムアクセスチャネル（ＰＲＡＣＨ）インジケータを受信するための手段をさらに備え、前記インジケータは、前記サービングセルから受信される、［３３］の装置。
［３７］  送信するための手段は、前記ＵｐＰＴＳ部分のための前記使用可能なアップリンク帯域幅の端部で動作する無線通信デバイスに前記ＵｐＰＴＳ部分のための使用可能な追加の帯域幅を割り当てるための手段を備える［２７］の装置。
［３８］  非周期性ＳＲＳがトリガされるべきことを示す予約ビットを含むランダムアクセス応答（ＲＡＲ）の許可を受信するための手段さらに備える［２７］の装置。
［３９］  前記無線通信デバイスのための全てのＳＲＳの送信が前記ＵｐＰＴＳ部分で起きるであろうと決定するための手段は、基地局によってサービスされる全ての無線通信デバイスのための全てのＳＲＳの送信が、前記ＵｐＰＴＳ部分に起きるであろうと決定するための手段を備える、［２７］の装置。
［４０］  複数の命令を有する非一時的コンピュータ可読媒体を備える、非ルート無線通信デバイス内のサウンディング基準信号（ＳＲＳ）を増強するためのコンピュータ・プログラム・プロダクトであって、前記命令は、前記無線通信デバイスに、前記無線通信デバイスのための全てのＳＲＳの送信が、遷移サブフレームのアップリンク・パイロットタイムスロット（ＵｐＰＴＳ）部分に起きるであろうと決定させるためのコードと、前記無線通信デバイスに、前記ＵｐＰＴＳ部分のための使用可能なアップリンク帯域幅がノーマルアップリンクサブフレームのための使用可能なアップリンク帯域幅よりも大きいかどうかを決定させるためのコードと、前記無線通信デバイスに、前記ＵｐＰＴＳ部分のための前記使用可能なアップリンク帯域幅が、前記ノーマルアップリンクサブフレームに対して使用可能なアップリンク帯域幅よりも大きい時、前記ＵｐＰＴＳ部分のための前記使用可能なアップリンク帯域幅を用いて現在のＳＲＳを送信させるためのコードと、を備える、コンピュータ・プログラム・プロダクト。
［４１］  前記ＵｐＰＴＳ部分ための前記使用可能なアップリンク帯域幅が、前記ノーマルアップリンクサブフレームのための使用可能なアップリンク帯域幅よりも大きくない時、前記無線通信デバイスに、前記ノーマルアップリンクサブフレームのための前記使用可能なアップリンク帯域幅を用いて、前記現在のＳＲＳを送信させるためのコードをさらに備える、［４０］のコンピュータ・プログラム・プロダクト。
［４２］  前記無線通信デバイスに、全てのＳＲＳの送信が前記ＵｐＰＴＳ部分に起きるであろうと決定させるためのコードは、前記無線通信デバイスに、基地局からの指示を受信させるためのコードを備える、［４０］のコンピュータ・プログラム・プロダクト。
［４３］  前記無線通信デバイスに、ノーマルアップリンクサブフレームにのための前記使用可能なアップリンク帯域幅を受信させるためのコードをさらに備える、［４０］のコンピュータ・プログラム・プロダクト。
［４４］  ノーマルアップリンクサブフレームのための前記使用可能なアップリンク帯域幅は多地点協調（ＣоＭＰ）セット内の複数のセルを占める［４３］のコンピュータ・プログラム・プロダクト。
［４５］  前記無線通信デバイスに、遷移サブフレームの前記ＵｐＰＴＳ部分のための前記使用可能なアップリンク帯域幅を受信させるためのコードをさらに備える、［４０］のコンピュータ・プログラム・プロダクト。
［４６］  前記ＵｐＰＴＳ部分のための前記使用可能なアップリンク帯域幅が、多地点協調（ＣоＭＰ）セット内の複数のセルを占める、［４５］のコンピュータ・プログラム・プロダクト。
［４７］  前記無線通信デバイスに、サービングセルのためのＰＲＡＣＨフォーマット４データに割り当てられたリソースブロックの数の物理ランダムアクセスチャネル（ＰＲＡＣＨ）インジケータを受信させるためのコードをさらに備え、前記ＰＲＡＣＨインジケータはまた、前記ＣоＭＰセット内の少なくとも１つの非サービングセルのためのＰＲＡＣＨフォーマット４データに割り当てられたリソースブロックの数を示し、前記インジケータは前記サービングセルから受信される、［４６］のコンピュータ・プログラム・プロダクト。
［４８］  前記無線通信デバイスに、サービングセルから前記ＣоＭＰセット内の全てのセルのインジケータを受信させるためのコードと、前記無線通信デバイスに、前記ＣоＭＰセット内の各セルに対するＰＲＡＣＨフォーマット４データに割り当てられたリソースブロックの数の別々のＰＲＡＣＨインジケータを受信させるためのコードと、をさらに備え、前記ＰＲＡＣＨインジケータは、前記ＣоＭＰセット内の各セルから受信される、［４６］のコンピュータ・プログラム・プロダクト。
［４９］  前記無線通信デバイスに、前記ＣоＭＰセット内のサービングセルと少なくとも一つの非サービングセルのためのＰＲＡＣＨフォーマット４データに割り当てられたリソースブロックの数の明示の物理ランダムアクセスチャネル（ＰＲＡＣＨ）インジケータを受信させるためのコードをさらに備え、前記インジケータは、前記サービングセルから受信される、［４６］のコンピュータ・プログラム・プロダクト。
［５０］  前記無線通信デバイスに送信させるための前記コードは、前記無線通信デバイスに、前記ＵｐＰＴＳ部分のための前記使用可能なアップリンク帯域幅の端部で動作する無線通信デバイスに前記ＵｐＰＴＳ部分のための使用可能な追加の帯域幅を割り当てさせるためのコードを備える［４０］のコンピュータ・プログラム・プロダクト。
［５１］  前記無線通信デバイスに、非周期性ＳＲＳがトリガされるべきことを示す予約ビットを含むランダムアクセス応答（ＲＡＲ）の許可を受信させるためのコードをさらに備える［４０］のコンピュータ・プログラム・プロダクト。
［５２］  前記無線通信デバイスに、前記無線通信デバイスのための全てのＳＲＳの送信が前記ＵｐＰＴＳ部分で起きるであろうと決定させるための前記コードは、前記無線通信に、基地局によってサービスされる全ての無線通信デバイスのための全てのＳＲＳの送信が、前記ＵｐＰＴＳ部分に起きるであろうと決定させるためのコードを備える、［４０］のコンピュータ・プログラム・プロダクト。
【図１】
0005752854.tif 000009
【図２】
0005752854.tif 000010
【図３】
0005752854.tif 000011
【図４】
0005752854.tif 000012
【図５】
0005752854.tif 000013
【図６】
0005752854.tif 000014
【図７】
0005752854.tif 000015
【図８】
0005752854.tif 000016